【手続補正書】
【提出日】令和3年3月22日(2021.3.22)
【手続補正１】
【補正対象書類名】特許請求の範囲
【補正対象項目名】全文
【補正方法】変更
【補正の内容】
【特許請求の範囲】
【請求項１】
履物製品のためのソール構造体であって、前記ソール構造体は、
ミッドソールであり、第１表面と、前記第１表面に対して前記ミッドソールの対向する側において形成された第２表面と、前記第１表面に形成され、かつ、前記第１表面から前記第２表面に向かう方向においてテーパが付いている第１キャビティと、前記第２表面に形成され、かつ、前記第２表面から前記第１表面に向かう方向においてテーパが付いている第２キャビティと、を含むミッドソール、
前記第１キャビティの中に配置されている第１量の粒子状物質、および、
前記第２キャビティの中に配置されている第２量の粒子状物質、
を含み、
前記第１キャビティは、前記第１キャビティと流体連通し、かつ、前記第１キャビティから前記第２表面まで延びている第１通路、を含む、
ソール構造体。
【請求項２】
履物製品のためのソール構造体であって、前記ソール構造体は、
ミッドソールであり、第１表面と、前記第１表面に対して前記ミッドソールの対向する側において形成された第２表面と、前記第１表面に形成され、かつ、第１形状を有する第１キャビティと、前記第２表面に形成され、かつ、前記第１形状を有する第２キャビティと、を含み、前記第２キャビティは前記第１キャビティに対して反転されている、ミッドソール、
前記第１キャビティの中に配置されている第１量の粒子状物質、および、
前記第２キャビティの中に配置されている第２量の粒子状物質、
を含み、
前記第１キャビティは、前記第１キャビティと流体連通し、かつ、前記第１キャビティから前記第２表面まで延びている第１通路、を含む、
ソール構造体。
【請求項３】
前記第２キャビティは、前記第２キャビティと流体連通し、かつ、前記第２キャビティから前記第１表面まで延びている第２通路、を含む、
請求項１または２に記載のソール構造体。
【請求項４】
前記第１通路は、前記第１キャビティとは異なる形状を有し、かつ、
前記第２通路は、前記第２キャビティとは異なる形状を有する、
請求項３に記載のソール構造体。
【請求項５】
前記第１キャビティおよび前記第２キャビティは、同じ形状を有している、
請求項１または２に記載のソール構造体。
【請求項６】
前記第１キャビティおよび前記第２キャビティは、前記ミッドソールの長手方向軸に対して平行に延びる方向において、互いに離間されている、
請求項１乃至５いずれか一項に記載のソール構造体。
【請求項７】
前記第１キャビティおよび前記第２キャビティは、前記ミッドソールの長手方向軸に対して平行に延びる方向において互いにオーバーラップしている、
請求項１または２に記載のソール構造体。
【請求項８】
前記第１キャビティおよび前記第２キャビティは、球形状、楕円形状、および、台形状のうちの１つを有する、
請求項１乃至７いずれか一項に記載のソール構造体。
【請求項９】
前記第１量の粒子状物質が第１バリア部材によって受け容れられ、かつ、前記第２量の粒子状物質が第２バリア部材によって受け容れられ、
前記第１バリア部材は、前記第１量の粒子状物質と前記第１キャビティとの間に配置されており、かつ、前記第２バリア部材は、前記第２量の粒子状物質と前記第２キャビティとの間に配置されている、
請求項１乃至８いずれか一項に記載のソール構造体。
【請求項１０】
前記第１バリア部材および前記第２バリア部材は、ポリマーから形成されている、
請求項９に記載のソール構造体。
【請求項１１】
前記第１バリア部材および前記第２バリア部材は、熱可塑性ポリウレタン（ＴＰＵ）から形成されている、
請求項９に記載のソール構造体。
【請求項１２】
前記第１バリア部材は、前記第１キャビティの中に受け容れられる第１バリア部分を含み、かつ、
前記第２バリア部材は、前記第２キャビティの中に受け容れられる第１バリア部分を含む、
請求項９に記載のソール構造体。
【請求項１３】
前記第１バリア部材は、前記第１バリア部分に取り付けられた第２バリア部分を含み、前記第１量の粒子状物質を受け容れる第１内部空間を画定し、かつ、
前記第２バリア部材は、前記第２バリア部材の前記第１バリア部分に取り付けられた第２バリア部分を含み、前記第２量の粒子状物質を受け容れる第２内部空間を画定する、
請求項１２に記載のソール構造体。
【請求項１４】
前記第１バリア部材の前記第２バリア部分、および、前記第２バリア部材の前記第２バリア部分は、前記第１バリア部材の前記第１バリア部分、および、前記第２バリア部材の前記第１バリア部分と同一の材料から形成されている、
請求項１３に記載のソール構造体。
【請求項１５】
前記第１バリア部材の前記第２バリア部分、および、前記第２バリア部材の前記第２バリア部分は、前記第１バリア部材の前記第１バリア部分、および、前記第２バリア部材の前記第１バリア部分とは異なる材料から形成されている、
請求項１３に記載のソール構造体。
【請求項１６】
前記第１量の粒子状物質と前記第２量の粒子状物質は、同じ量である、
請求項１または２に記載のソール構造体。
【請求項１７】
前記第１量の粒子状物質と前記第２量の粒子状物質は、異なる量である、
請求項１または２に記載のソール構造体。
【請求項１８】
前記第１量の粒子状物質および前記第２量の粒子状物質のうち少なくとも１つは、フォームビーズを含んでいる、
請求項１乃至１７いずれか一項に記載のソール構造体。
【請求項１９】
前記フォームビーズは、球形状を有する、
請求項１８に記載のソール構造体。
【請求項２０】
前記フォームビーズは、同じサイズおよび同じ形状を有する、
請求項１８に記載のソール構造体。
【請求項２１】
前記フォームビーズは、異なるサイズおよび異なる形状のうち少なくとも１つを含む、
請求項１８に記載のソール構造体。
【請求項２２】
前記第１キャビティおよび前記第２キャビティは、同じ形状を有している、
請求項１に記載のソール構造体。
【請求項２３】
前記第１キャビティは、前記第１表面から前記第２表面に向かう方向においてテーパが付いており、かつ、
前記第２キャビティは、前記第２表面から前記第１表面に向かう方向においてテーパが付いている、
請求項２に記載のソール構造体。
【請求項２４】
履物製品のためのソール構造体であって、前記ソール構造体は、
ミッドソールであり、第１表面と、前記第１表面に対して前記ミッドソールの対向する側において形成された第２表面と、前記第１表面に形成された複数の第１キャビティと、前記第２表面に形成された複数の第２キャビティと、を含み、前記複数の第２キャビティは、前記ミッドソールの長さに沿って前記複数の第１キャビティと交互に配置されている、ミッドソール、
前記第１キャビティの中に配置されている第１量の粒子状物質、
前記第２キャビティの中に配置されている第２量の粒子状物質、および、
前記第１キャビティは、前記複数の第１キャビティのうちそれぞれと流体連通し、かつ、前記第１キャビティそれぞれから前記第２表面まで延びている第１通路、
を含む、ソール構造体。
【請求項２５】
前記ソール構造体は、さらに、
前記複数の第２キャビティのうちそれぞれと流体連通し、かつ、前記第２キャビティそれぞれから前記第１表面まで延びている第２通路、を含む、
請求項２４に記載のソール構造体。
【請求項２６】
前記第１通路は、前記複数の第１キャビティとは異なる形状を有し、かつ、
前記第２通路は、前記複数の第２キャビティとは異なる形状を有する、
請求項２５に記載のソール構造体。
【請求項２７】
前記複数の第１キャビティは、第１形状を有し、かつ、
前記複数の第２キャビティは、前記第１形状を有し、
前記複数の第２キャビティは、前記複数の第１キャビティに対して反転されている、
請求項２４に記載のソール構造体。
【請求項２８】
前記複数の第１キャビティは、前記第１表面から前記第２表面に向かう方向においてテーパが付いており、かつ、
前記複数の第２キャビティは、前記第２表面から前記第１表面に向かう方向においてテーパが付いている、
請求項２４記載のソール構造体。
【請求項２９】
前記複数の第１キャビティおよび前記複数の第２キャビティは、前記ミッドソールの長手方向軸に対して平行に延びる方向において、互いに離間されている、
請求項２４乃至２８いずれか一項に記載のソール構造体。
【請求項３０】
前記複数の第１キャビティおよび前記複数の第２キャビティは、前記ミッドソールの長手方向軸に対して平行に延びる方向において互いにオーバーラップしている、
請求項２４に記載のソール構造体。
【請求項３１】
前記複数の第１キャビティおよび前記複数の第２キャビティは、球形状、楕円形状、および、台形状のうちの１つを有する、
請求項２４乃至３０いずれか一項に記載のソール構造体。
【請求項３２】
前記第１量の粒子状物質が第１バリア部材によって受け容れられ、かつ、前記第２量の粒子状物質が第２バリア部材によって受け容れられ、
前記第１バリア部材は、前記第１量の粒子状物質と前記複数の第１キャビティそれぞれとの間に配置されており、かつ、前記第２バリア部材は、前記第２量の粒子状物質と前記複数の第２キャビティそれぞれとの間に配置されている、
請求項２４乃至３１いずれか一項に記載のソール構造体。
【請求項３３】
前記第１バリア部材および前記第２バリア部材は、ポリマーから形成されている、
請求項３２に記載のソール構造体。
【請求項３４】
前記第１バリア部材および前記第２バリア部材は、熱可塑性ポリウレタン（ＴＰＵ）から形成されている、
請求項３２に記載のソール構造体。
【請求項３５】
前記第１バリア部材は、前記複数の第１キャビティそれぞれの中に受け容れられる第１バリア部分を含み、かつ、
前記第２バリア部材は、前記複数の第２キャビティそれぞれの中に受け容れられる第１バリア部分を含む、
請求項３２に記載のソール構造体。
【請求項３６】
前記第１バリア部材は、前記第１バリア部分に取り付けられた第２バリア部分を含み、前記第１量の粒子状物質を受け容れる第１内部空間を画定し、かつ、
前記第２バリア部材は、前記第２バリア部材の前記第１バリア部分に取り付けられた第２バリア部分を含み、前記第２量の粒子状物質を受け容れる第２内部空間を画定する、
請求項３５に記載のソール構造体。
【請求項３７】
前記第１バリア部材の前記第２バリア部分、および、前記第２バリア部材の前記第２バリア部分は、前記第１バリア部材の前記第１バリア部分、および、前記第２バリア部材の前記第１バリア部分と同一の材料から形成されている、
請求項３６に記載のソール構造体。
【請求項３８】
前記第１バリア部材の前記第２バリア部分、および、前記第２バリア部材の前記第２バリア部分は、前記第１バリア部材の前記第１バリア部分、および、前記第２バリア部材の前記第１バリア部分とは異なる材料から形成されている、
請求項３６に記載のソール構造体。
【請求項３９】
前記第１量の粒子状物質と前記第２量の粒子状物質は、同じ量である、
請求項２４に記載のソール構造体。
【請求項４０】
前記第１量の粒子状物質と前記第２量の粒子状物質は、異なる量である、
請求項２４に記載のソール構造体。
【請求項４１】
前記第１量の粒子状物質および前記第２量の粒子状物質のうち少なくとも１つは、フォームビーズを含んでいる、
請求項２４乃至４０いずれか一項に記載のソール構造体。
【請求項４２】
前記フォームビーズは、球形状を有する、
請求項４１に記載のソール構造体。
【請求項４３】
前記フォームビーズは、同じサイズおよび同じ形状を有する、
請求項４１に記載のソール構造体。
【請求項４４】
前記フォームビーズは、異なるサイズおよび異なる形状のうち少なくとも１つを含む、
請求項４１に記載のソール構造体。